(57)【要約】      （修正有）【課題】スポット光源を面光源に変換する長手導光部材を有する発光ダイオード（ＬＥＤ）照明装置を提供する。【解決手段】長手導光部材１は、２つの対向端部２と、光反射部３と、光出射部と、を有している。光反射部は複数の反射面を有する。ＬＥＤ光源６は、導光部材１の２つの対向端部２の少なくとも一方に配置される。光が２つの対向端部２の少なくともその一方から前記導光部材１に入射して反射面によって導光部材１の光反射部３から光出射部へと反射される。【選択図】図２Ａ
0003154155.tif 000002
【実用新案登録請求の範囲】
【請求項１】
２つの対向端部と、複数の反射面を備える光反射部と、光出射部と、を備える長手導光部材と、
光を出射するＬＥＤ光源であって、該ＬＥＤ光源は前記導光部材の前記２つの対向端部の少なくとも一方に配置されており、前記光が前記２つの対向端部の少なくとも前記一方から前記導光部材に入射して前記反射面によって前記導光部材の前記光反射部から前記光出射部へと反射されるＬＥＤ光源と、
を備える発光ダイオード（ＬＥＤ）照明装置。
【請求項２】
請求項１に記載のＬＥＤ照明装置であって、前記複数の反射面は、概ねＶ字状断面の横方向に延びる複数の谷部を備えるＬＥＤ照明装置。
【請求項３】
請求項１に記載のＬＥＤ照明装置であって、前記反射面の角度は、前記導光部材の前記光反射部に対して約１０°から約１７０°の間にあるＬＥＤ照明装置。
【請求項４】
請求項１に記載のＬＥＤ照明装置であって、前記長手導光部材は、概ね半円状の断面と、前記反射面が形成されている概ね平面状の光反射部と、概ね半円筒状の光出射部と、を備えるＬＥＤ照明装置。
【請求項５】
請求項１に記載のＬＥＤ照明装置であって、前記長手導光部材は、高い導光性の材料で形成されているＬＥＤ照明装置。
【請求項６】
請求項１に記載のＬＥＤ照明装置であって、前記長手導光部材は、光学樹脂、ポリカーボネート、ポリメタクリル酸メチル、ガラスあるいはアクリル樹脂で形成されているＬＥＤ照明装置。
【請求項７】
請求項１に記載のＬＥＤ照明装置であって、前記光反射部の前記反射面上に配置される反射フィルムをさらに備えるＬＥＤ照明装置。
【請求項８】
請求項７に記載のＬＥＤ照明装置であって、前記反射フィルムは、銀でコートされた光学樹脂で形成されているＬＥＤ照明装置。
【請求項９】
請求項１に記載のＬＥＤ照明装置であって、プリント回路基板をさらに備えており、前記ＬＥＤ光源は前記プリント回路基板上に配置されているＬＥＤ照明装置。
【請求項１０】
請求項９に記載のＬＥＤ照明装置であって、前記プリント回路基板は、絶縁性あるいは熱伝導性材料で形成されている剛性あるいは可撓性の基板であるＬＥＤ照明装置。
【請求項１１】
請求項９に記載のＬＥＤ照明装置であって、前記プリント回路基板に接続されているヒートシンクをさらに備えるＬＥＤ照明装置。
【請求項１２】
請求項１に記載のＬＥＤ照明装置であって、前記長手導光部材から指定の投光エリアへ前記光を反射する反射器をさらに備えており、前記導光部材は反射器内に装着されているＬＥＤ照明装置。
【請求項１３】
請求項１に記載のＬＥＤ照明装置であって、前記複数の反射面はアレイ状のドットを備えているＬＥＤ照明装置。
【請求項１４】
請求項１に記載のＬＥＤ照明装置であって、前記導光部材は、断面が概ねＤ字状、貝殻状、多角形状あるいはＢ字状であるＬＥＤ照明装置。
【請求項１５】
請求項１に記載のＬＥＤ照明装置であって、前記光反射部で前記反射面上に配置される反射塗料層をさらに備えるＬＥＤ照明装置。
【請求項１６】
高い導光性の材料で形成される長手導光部材であって、２つの対向端部と、概ねＶ字状断面の横方向に延びる複数の谷状の反射面を備える光反射部と、光出射部と、を備える長手導光部材と、
光を出射するＬＥＤ光源であって、該ＬＥＤ光源は前記導光部材の前記２つの対向端部の少なくとも一方に配置されており、前記光が前記２つの対向端部の少なくとも前記一方から前記導光部材に入射して前記反射面によって前記導光部材の前記光反射部から前記光出射部へと反射されるＬＥＤ光源と、
を備える発光ダイオード（ＬＥＤ）照明装置。
【請求項１７】
請求項１６に記載のＬＥＤ照明装置であって、さらに、前記光反射部の前記反射面上に配置される反射フィルムを備えるＬＥＤ照明装置。
【請求項１８】
請求項１６に記載のＬＥＤ照明装置であって、前記長手導光部材は、概ね半円状の断面と、前記反射面が形成されている概ね平面状の光反射部と、概ね半円筒状の光出射部と、を備えるＬＥＤ照明装置。
【請求項１９】
高い導光性の材料で形成される長手導光部材であって、２つの対向端部と、アレイ状のドットを備える複数の反射面を備える光反射部と、光出射部と、を備える長手導光部材と、
光を出射するＬＥＤ光源であって、該ＬＥＤ光源は前記導光部材の前記２つの対向端部の少なくとも一方に配置されており、前記光が前記２つの対向端部の少なくとも前記一方から前記導光部材に入射して前記反射面および反射フィルムによって前記導光部材の前記光反射部から前記光出射部へと反射されるＬＥＤ光源と、
を備える発光ダイオード（ＬＥＤ）照明装置。
【請求項２０】
請求項１９に記載のＬＥＤ照明装置であって、前記長手導光部材は、概ね半円状の断面と、前記反射面が形成されている概ね平面状の光反射部と、概ね半円筒状の光出射部と、を備えるＬＥＤ照明装置。
【考案の詳細な説明】
【技術分野】
【０００１】
本考案は、ＬＥＤスポット光源をソフトな面光源に変換する導光部材を有する発光ダイオード（ＬＥＤ）照明装置に関する。
【背景技術】
【０００２】
長い間、人々は主光源として白熱ランプおよび蛍光ランプを用いている。しかしながら、これらの光源はエネルギー消費が高く、また寿命が短い。特に、蛍光ランプは、水銀汚染をもたらす水銀を含んでおり、環境および人間の健康に悪影響を及ぼす。発光ダイオード（ＬＥＤ）技術が継続的に開発されるにつれて、ＬＥＤ照明装置が、性能対価格が優れ、環境に優しく、安全で、品質が安定しており、寿命が長く、取り付けやメンテナンスが容易な冷光源として用いられている。ＬＥＤ光源は、緑地、道路、広告ランプボックス、都市景観、家庭などを含む幅広い範囲の製品で応用することができる。
【考案の概要】
【考案が解決しようとする課題】
【０００３】
しかしながら、これらのＬＥＤ光源は直接照明に使われている。ＬＥＤが明るいスポットライト源であるので、ソフトでなく均一でなく人間の目に不快であるまぶしいスポットライトを出力する。
【０００４】
背景の上記説明は、ＬＥＤ照明装置の理解を助けるためのものであって、関連する従来技術により本願において開示する導光部材を有するＬＥＤ照明装置を説明あるいは構成すること、あるいはどの引用文献も本願の請求項の特許性に関する材料とみなすことを認めるものではない。
【課題を解決するための手段】
【０００５】
発光ダイオード（ＬＥＤ）照明装置は、長手導光部材と、光を出射するＬＥＤ光源と、を有する。長手導光部材は、２つの対向端部と、光反射部と、光出射部と、を有する。光反射部は複数の反射面を有する。ＬＥＤ光源は、導光部材の２つの対向端部の少なくとも一方に配置される。光が２つの対向端部の少なくともその一方から入射して、反射面によって導光部材の光反射部から光出射部へと反射される。
【０００６】
複数の反射面は、概ねＶ字状断面の横方向に延びる複数の谷の態様、あるいはアレイ状のドットの態様であってもよい。
【０００７】
反射面の角度は、用途要求に応じて、導光部材の光反射部に対して約１０°から約１７０°の間とできる。
【０００８】
長手導光部材は、概ね半円状の断面と、反射面が形成されている概ね平面状の光反射部と、概ね半円筒状の光出射部と、を備えることができる。導光部材は、断面が概ねＤ字状、Ｂ字状、貝殻状あるいは多角形状とできる。
【０００９】
長手導光部材は、高い導光性の光学樹脂で形成できる。長手導光部材は、ガラス、ポリカーボネート、ポリメタクリル酸メチルあるいはアクリル樹脂で形成できる。
【００１０】
ＬＥＤ照明装置は、さらに、光反射部で反射面上に配置される反射フィルムあるいは塗料を有することができる。
【００１１】
ＬＥＤ照明装置は、さらに、プリント回路基板を有することができる。ＬＥＤ光源は、プリント回路基板上に配置される。プリント回路基板は、絶縁性あるいは熱伝導性材料で形成されている剛性あるいは可撓性の基板を有することができる。プリント回路基板に接続されているヒートシンクを配置することができる。
【００１２】
ＬＥＤ照明装置は、長手導光部材から指定の投光エリアへ光を反射する反射器を有することができる。長手導光部材は反射器内に装着される。
【図面の簡単な説明】
【００１３】
【図１Ａ】本考案において開示する実施形態にかかるＬＥＤ照明装置の導光部材の側面図である。
【図１Ｂ】図１の導光部材の端面図である。
【図１Ｃ】図１の導光部材の斜視図である。
【図２Ａ】光反射の方向を示すＬＥＤ照明装置の側面図である。
【図２Ｂ】光反射の方向を示す図２ＡのＬＥＤ照明装置の端面図である。
【図３Ａ】本考案において開示する実施形態にかかるＬＥＤ照明装置の導光部材の製造プロセスを示している。
【図３Ｂ】本考案において開示する実施形態にかかるＬＥＤ照明装置の導光部材の製造プロセスを示している。
【図３Ｃ】本考案において開示する実施形態にかかるＬＥＤ照明装置の導光部材の製造プロセスを示している。
【図４】１つの導光部材のみを有するＬＥＤ照明装置の斜視図である。
【図５】ＬＥＤ照明装置のＬＥＤ光源の正面図である。
【図６】図５のＬＥＤ照明装置のＬＥＤ光源の背面図である。
【図７】３つの導光部材を有するＬＥＤ照明装置の斜視図である。
【図８】３つの導光部材を有するＬＥＤ照明装置のＬＥＤ光源の正面図である。
【図９】図８のＬＥＤ照明装置のＬＥＤ光源の背面図である。
【図１０】反射器による光の反射を示す例示的な図である。
【図１１Ａ】本考案において開示する他の実施形態にかかるＬＥＤ照明装置の導光部材の側面図である。
【図１１Ｂ】図１１の導光部材の端面図である。
【図１１Ｃ】図１１の導光部材の斜視図である。
【図１２Ａ】光反射の方向を示す、図１１の導光部材を有するＬＥＤ照明装置の側面図である。
【図１２Ｂ】光反射の方向を示す図１２ＡのＬＥＤ照明装置の端面図である。
【図１３Ａ】異なる断面を有する導光部材を示す。
【図１３Ｂ】異なる断面を有する導光部材を示す。
【図１３Ｃ】異なる断面を有する導光部材を示す。
【図１３Ｄ】異なる断面を有する導光部材を示す。
【考案を実施するための形態】
【００１４】
なお、明細書および請求の範囲を通じて、１つのエレメントが他のエレメントに「連結される」あるいは「接続される」場合、エレメントは他のエレメントに必ずしも固定する、留める、あるいは取り付けることを意味しない。それよりむしろ、用語「連結される」あるいは「接続される」は、１つのエレメントが他のエレメントに直接的あるいは間接的に接続される、または他のエレメントとの機械的あるいは電気的な連絡状態にあること、を意味する。
【００１５】
図１Ａは、本願において開示する実施形態にかかるＬＥＤ照明装置の長手導光部材１の側面図である。図１Ｂは、図１Ａの導光部材１の端面図である。導光部材１は、２つの対向する光入射端部２と、導光部材１の概ね平面状の光反射部に形成された反射面３と、光出射部４と、を有することができる。図１Ｃは、図１Ａの導光部材１の斜視図である。
【００１６】
図示する実施形態では、導光部材１は、概ね半円形の断面を有する。反射面３は、導光部材１の光反射部に沿って形成される。光出射部４は、形が、概ね半円筒状である。
【００１７】
図示する実施形態では、反射面３は、概ねＶ字状断面の横方向に延びる複数の谷の態様とできる。反射面３の角度は、用途要求に応じて、導光部材１の概ね平面状の光反射部に対して約１０°から約１７０°の間とできる。
【００１８】
導光部材１を他の適切な形状とできることは当業者には理解されよう。例えば、導光部材１は、断面が、図１３Ａ，Ｂ，Ｃ，Ｄにそれぞれ示す概ねＤ字状、貝殻状、多角形状あるいはＢ字状とできる。
【００１９】
図示する実施形態において、導光部材１は、光学樹脂などの高導光性および高耐熱性（＞９０℃）特徴を有する材料で形成できる。導光部材１を、射出成形、圧縮成形、機械加工あるいは他の適切な方法によって形成できる。導光部材１を、また、ガラス、ポリカーボネート、ポリメタクリル酸メチルあるいはアクリル樹脂で形成できる。
【００２０】
反射面３を、導光部材１の光反射部上に、レーザエングレービング、機械エングレービング、熱圧縮、あるいはエッチングされた金型などの金型を用いた射出成形によって形成することができる。
【００２１】
図２Ａは、本願において開示する実施形態にかかる導光部材１を有するＬＥＤ照明装置の側面図である。図２Ｂは、図２Ａに示したＬＥＤ照明装置の端面図である。
【００２２】
反射フィルム５を、光反射部で反射面３上に配置することができる。反射フィルム５を、銀あるいは高い反射率の他の反射材料でコートされた光学樹脂で形成することができる。あるいは、反射塗料の層を、光反射部で反射面３上に配置することもできる。
【００２３】
ＬＥＤ光源６を、導光部材１の２つの対向端部２の少なくとも一方に配置することができる。例えば、複数のＬＥＤ光源６を、導光部材１の２つの対向端部２のそれぞれに配置することができる。ＬＥＤ６をプリント回路基板７上に装着することができる。プリント回路基板７は、絶縁性あるいは熱伝導性材料で形成されている剛性あるいは可撓性の基板を有することができる。ヒートシンク８を、ＬＥＤ６によって生成される動作の際の熱を発散するために、プリント回路基板７に接続することができる。ヒートシンク８を、あらゆる適切な形状とでき、熱発散に適したあらゆる位置に配置することができる。図示する実施形態において、ヒートシンク８は、ＬＥＤ６が装着される側とは反対のプリント回路基板７の側に配置される。ヒートシンク８は、アルミニウムあるいは良好な熱伝導率を有する他の適当な材料で形成できる。
【００２４】
導光部材１は、強力なまぶしいＬＥＤスポット光源を第２の光学プロセスを介してソフトで均一な平面状光源あるいは面発光光源へと変換するのに適合している。ＬＥＤ光が２つの対向する光入射端部２を通って導光部材１へと入射すると、反射面３および反射フィルム５によって導光部材１の光反射部から光出射部４へと反射される。図２Ａにおいて矢印によって示すように、光の方向は、導光部材１と概ね平行な方向から導光部材１の光出射部４へと向かう方向に変化する。図２Ｂにおいて矢印によって示すように、光は、導光部材１の光出射部４から径方向に反射される。
【００２５】
反射面３が２つの対向端部２に入射するＬＥＤ光を導光部材１の光出射部４に向かって効果的に反射するできる限り、反射面３を他の適切な形状とできることは当業者には理解されよう。
【００２６】
反射面が概ねＶ字状の断面を有することは説明したが、反射面はスムーズな波状の断面を有することができることも考えられる。
【００２７】
図１１Ａは、本願において開示する他の実施形態にかかるＬＥＤ照明装置の長手導光部材１’の側面図である。図１１Ｂは、図１１Ａの導光部材１’の端面図である。導光部材１’は、２つの対向する光入射端部２’と、導光部材１’の概ね平面状の光反射部に形成された反射面３’と、光出射部４’と、を有することができる。図１１Ｃは、図１１Ａの導光部材１’の斜視図である。
【００２８】
図１Ｃに示した実施形態と同様に、導光部材１’は、概ね半円形の断面を有する。反射面３’は、導光部材１’の光反射部に沿って形成される。光出射部４’は、形が、概ね半円筒状である。
【００２９】
導光部材１’を他の適切な形状とできることは当業者には理解されよう。例えば、導光部材１’は、断面が、図１３Ａ，Ｂ，Ｃ，Ｄにそれぞれ示す概ねＤ字状、貝殻状、多角形状あるいはＢ字状とできる。
【００３０】
図示する実施形態では、反射面３’を、アレイ状のドットの態様とすることができる。反射面３’のドットの角度は、用途要求に応じて、導光部材１’の概ね平面状の光反射部に対して約１０°から約１７０°の間とできる。
【００３１】
図１２Ａは、長手導光部材１’を有するＬＥＤ照明装置の側面図である。図１２Ｂは、図１２Ａに示したＬＥＤ照明装置の端面図である。
【００３２】
図２Ａに示した実施形態と同様に、反射フィルムあるいは塗料５’を、光反射部で反射面３’上に配置することができる。ＬＥＤ光源６’を、導光部材１’の２つの対向端部２’の少なくとも一方に配置することができる。ＬＥＤ光源６’をプリント回路基板７’上に装着することができる。ヒートシンク８’を、ＬＥＤ光源６’によって生成される動作の際の熱を発散するために、プリント回路基板７’に接続することができる。
【００３３】
図３Ａ乃至Ｃは、本願において開示する実施形態にかかる射出成形によるＬＥＤ照明装置の導光部材１の製造プロセスを示している。
【００３４】
図３Ａは、本願の導光部材１の製造の射出成形プロセスにおける上側の金型９および下側の金型１１の使用を示す。上側の金型９は、その内側表面に、導光部材１の光反射部の概ねＶ字状の谷３を形成するための複数の概ねＶ字状の山１０を有することができる。下側の金型１１は、その内側表面に、導光部材１の光出射部を形成するための概ね半円筒状空洞１２を有することができる。まず、上側の金型９を山１０を空洞１２と位置合わせして下側の金型１１の上部に配置し、金型９，１１を閉じる。そして、図３Ｂにおいて矢印１３によって示すように、成形材料を、上側の金型９に配置された開口部を通して金型９，１１内へと注入することができる。最後に、上側の金型９を開けることができ、そして、形成された導光部材１を下側の金型１１から取り出すことができる。これにより、射出成形による導光部材１の製造プロセスが完了する。
【００３５】
図４は、１つの導光部材１のみが装着されたＬＥＤ照明装置の斜視図である。導光部材１を、ハウジング２０の２つの対向端部にそれぞれに配置された２つの電灯受け１６によってハウジング２０内に装着することができる。反射器１５を、導光部材１の光出射部４から出射する光を反射するために用いることができる。反射器１５は、反射鏡の態様とでき、あるいは拡散反射させる絹目仕上げ面を有する。反射器１５を、指向性反射機能を有する指向性反射器とすることができ、これにより、異なる状況下で異なる要求を満たすように光を指定された投光面に投光することができる。
【００３６】
図５および図６は、それぞれ、ＬＥＤ照明装置のＬＥＤ光源の正面図および背面図である。
【００３７】
ＬＥＤ光源６は、１つ以上の低出力ＬＥＤランプ（１ランプ当たり０．１Ｗ未満）、中出力ＬＥＤランプ（１ランプ当たり０．１〜０．５Ｗ）、あるいは高出力ＬＥＤランプ（１ランプ当たり０．５Ｗ超）を有することができる。ＬＥＤ光源６のＬＥＤランプを、表面実装デバイス（ＳＭＤ）タイプあるいはリードフレームタイプＬＥＤパッケージにパッケージングすることができる。ＬＥＤランプは、異なる色を生成することができる。達成すべき視覚効果に応じて、ＬＥＤ光源６は、同じ色の複数のＬＥＤランプ、あるいは異なる色の複数のＬＥＤランプを有することができる。ＬＥＤランプから発せられる色を、約４３０ｎｍ〜約７００ｎｍの範囲にピーク波長λｐを有するあらゆる可視光、あるいは混色した白色光とすることができる。ＬＥＤランプの発光効率を、１５Ｌｍ／ｗ超とすることができる。ＬＥＤランプ４を、−４０℃〜７０℃にわたる広範囲の温度において動作に適するものとすることができる。ＬＥＤランプの寿命は、１０年にも（約１００，０００時間にも）達することができ、それは既存の白熱ランプのそれ（約２，０００〜８，０００時間）より何十倍も長い。
【００３８】
ＬＥＤランプの消費エネルギーは、白熱ランプおよび蛍光ランプよりも１０〜５０％少ない。さらに、ＬＥＤランプのスイッチオン時間は、白熱ランプと蛍光ランプのそれよりも１００倍も速い。したがって、ＬＥＤランプは、交通管理、車および家庭等における屋内照明などの領域において大きな利点および可能性を有する。さらに、ＬＥＤランプは、発生する熱が少なく、電磁波を放射せず、蛍光ランプの場合のような水銀汚染を回避することができる冷光源である。
【００３９】
ＡＣ−ＤＣコンバータ１９を、ＡＣ電力入力を定電流あるいは定電圧のＤＣ電力出力に変換しかつ電気ワイヤ１８を介してＬＥＤ光源６のＬＥＤに電力を提供するために、配置することができる。ヒートシンク１７が、プリント回路基板７に接続されている。図示する実施形態においては、ヒートシンク１７を、ハウジング２０の２つの対向端部のそれぞれに、ハウジング２０の２つの対向端部のそれぞれを横断するよう配置する。
【００４０】
図７は、互いにほぼ平行に配置されている３つの導光部材１を有するＬＥＤ照明装置の斜視図である。３つの導光部材が互いに平行に配置されることを示し説明したが、導光部材１の数およびそれらの配置を設計および要求に応じて変更することができることは理解されよう。
【００４１】
図８および図９は、それぞれ、３つの導光部材を有するＬＥＤ照明装置のＬＥＤ光源の正面図および背面図である。ハウジング２０のそれぞれの側で、３つのプリント回路基板７上にそれぞれ装着された３つのＬＥＤ光源６があることがわかるであろう。ＬＥＤ光源６とプリント回路基板７とは、電気ワイヤ１８を介してＡＣ−ＤＣコンバータ１９に接続される。ヒートシンク１７は、図５および図６に示した先の実施形態におけるヒートシンクよりも約３倍長い。
【００４２】
図１０は、反射器１５による光の反射を示す例示的な図である。反射器１５を、矢印で示すように、導光部材１の光出射部４から径方向に出射する光を反射するために用いることができる。反射器１５を、光を指定された光投光面上に投光できるように、光をＬＥＤ照明装置の一方の側へ向かって方向付ける指向性反射器とすることができる。
【００４３】
ＬＥＤ照明装置の製造プロセスは、（ｉ）導光部材を設計するステップと、（ｉｉ）射出成形金型を形成するステップと、（ｉｉｉ）射出成形プロセスを実行するステップと、（ｉｖ）導光部材、反射器およびハウジングを組み立てるステップと、（ｖ）ＬＥＤ光源を組み立てるステップと、（ｖｉ）完成品を試験するステップと、を有することができる。
【００４４】
本願において開示される導光部材を有するＬＥＤ照明装置をいくつかの好ましい実施形態を特に参照して示し説明したが、添付の請求項から逸脱することなく種々の変形および変更を行うことができることを述べておく。
【符号の説明】
【００４５】
１，１’  導光部材
２，２’  対向端部
３，３’  反射面
４，４’  光出射部
５，５’  反射フィルム
６，６’  ＬＥＤ光源
７，７’  プリント回路基板
８，８’  ヒートシンク
９  上側の金型
１０  山
１１  下側の金型
１２  空洞
１３  開口部
１５  反射器
１６  電灯受け
１７  ヒートシンク
１８  電気ワイヤ
１９  ＤＣ−ＡＣコンバータ
２０  ハウジング
【図１Ａ】
0003154155.tif 000003
【図１Ｂ】
0003154155.tif 000004
【図１Ｃ】
0003154155.tif 000005
【図２Ａ】
0003154155.tif 000006
【図２Ｂ】
0003154155.tif 000007
【図３Ａ】
0003154155.tif 000008
【図３Ｂ】
0003154155.tif 000009
【図３Ｃ】
0003154155.tif 000010
【図４】
0003154155.tif 000011
【図５】
0003154155.tif 000012
【図６】
0003154155.tif 000013
【図７】
0003154155.tif 000014
【図８】
0003154155.tif 000015
【図９】
0003154155.tif 000016
【図１０】
0003154155.tif 000017
【図１１Ａ】
0003154155.tif 000018
【図１１Ｂ】
0003154155.tif 000019
【図１１Ｃ】
0003154155.tif 000020
【図１２Ａ】
0003154155.tif 000021
【図１２Ｂ】
0003154155.tif 000022
【図１３Ａ】
0003154155.tif 000023
【図１３Ｂ】
0003154155.tif 000024
【図１３Ｃ】
0003154155.tif 000025
【図１３Ｄ】
0003154155.tif 000026